(57)【要約】【課題】始動特性を改善した放電ランプを提供する。【解決手段】本発明の放電ランプは、内管１の封止部１２の外表面に導電性の被膜１０を形成し、放電空間での絶縁破壊を補助している。導電性被膜１０は、少なくとも金属箔３１に対向する面に沿って延在し、複数の幾何学形状を組み合わせた形態を採用している。幾何学形状としては、円、楕円および四角形、六角形などの多角形などを含む。さらに導電性被膜１０を金属箔３１の周囲にのみ配置することで、点灯時に発光部１１の温度が上昇しても導電性被膜の損失を最小限に防ぐことができる。【選択図】図３
2010232159.tif 000002
【特許請求の範囲】
【請求項１】
内部に第１の空間を有する発光部およびその両端に一対の封止部を備えた内管と、
前記第１の空間にそれぞれ突出し、先端同士が対向配置された一対の電極と、
前記第１の空間に封入された放電媒体と、
内管の周囲に気密に接続され、内管との間に第２の空間を画定する外管と、
前記第２の空間に封入された不活性の気体と、
を含む、放電ランプにおいて、
封止部は、気密に封着され、前記電極と接続された金属箔を具備し、
内管の封止部の外表面に形成された導電性の被膜であって、少なくとも前記金属箔に対向する面に沿って延在し、複数の幾何学形状を組み合わせてなる形態の導電性被膜を有していることを特徴とする、放電ランプ。
【請求項２】
導電性被膜の面積が３ｍｍ２以上であることを特徴とする、請求項１に記載の放電ランプ。
【請求項３】
内部に第１の空間を有する発光部およびその両端に一対の封止部を備えた内管と、
前記第１の空間にそれぞれ突出し、先端同士が対向配置された一対の電極と、
前記第１の空間に封入された放電媒体と、
内管の周囲に気密に接続され、内管との間に第２の空間を画定する外管と、
前記第２の空間に封入された不活性ガスと、
を含む、放電ランプにおいて、
少なくとも高電位側の封止部は、気密に封入され、前記電極と接続された金属箔を具備し、
内管の封止部の外表面に形成された少なくとも１つのドット状の導電性被膜であって、少なくとも前記金属箔に対向する位置に延在し、３ｍｍ２以上の範囲にわたって形成されている導電性被膜を有してなることを特徴とする、放電ランプ。
【請求項４】
内管と外管の二重管の構造をもつ放電ランプの製造方法であって、
内管の外表面に導電性材料を滴下することによって、少なくとも内管の封止部に封入された金属箔に対向する位置に導電性被膜を形成することを特徴とする、製造方法。
【発明の詳細な説明】
【技術分野】
【０００１】
本発明は、自動車の前照灯などに使用される放電ランプおよびその製造方法に関する。
【背景技術】
【０００２】
自動車前照灯用の放電ランプは、内管と外管によってそれぞれ気密に区画された二重管構造を有している。そして内管が画定する空間には希ガスおよび金属ハロゲン化物が封入され、外管と内管外表面とで包囲された空間には希ガスなどの不活性ガスが封入される。
【０００３】
この種のランプは、安定点灯時に３５Ｗ程度の電力が必要であるのに対し、始動時には約７５Ｗの電力を投入し、数ｋＶ〜数十ｋＶの電圧を印加する必要がある。この始動特性を改善し、確実かつ安全にランプを点灯するために種々の工夫がなされている。その１つとして、内管の表面に導電性被膜を形成し、外管と内管で囲まれる空間内で放電を起こさせて始動電圧を低減する手法が提案されている。具体的には、内管発光部の表面に導電性被膜を塗布することによって、電極および電極から延びるリード線との間でコンデンサを形成して絶縁破壊を容易にするというものである（特許文献１参照。）。
【先行技術文献】
【特許文献】
【０００４】
【特許文献１】国際公開第２００７／０９３５２５号
【発明の概要】
【発明が解決しようとする課題】
【０００５】
しかし、本発明者らは、研究を重ねるうちにランプの発光部が点灯中非常に高温になるため、それに伴って被膜成分の一部が消失してしまうという問題を発見するに至った。その結果、導電性被膜の機能が損なわれるほか、密閉空間内の雰囲気を変えてしまうため、何度もランプの始動を繰り返すことによって、次第に所期の始動特性を維持できなくなってしまうという実用上の問題が発生する。そこで、かかる問題を解決する新しい技術の開発が望まれていた。
【課題を解決するための手段】
【０００６】
本発明は、このような従来技術では解決できなかった課題を解決する新規の放電ランプを提供することを目的とする。より具体的には、本発明の放電ランプは、内部に第１の空間を有する発光部およびその両端に一対の封止部を備えた内管と、前記第１の空間にそれぞれ突出し、先端同士が対向配置された一対の電極と、前記第１の空間に封入された放電媒体と、内管の周囲に気密に接続され、内管との間に第２の空間を画定する外管と、前記第２の空間に封入された不活性の気体と、を含む、放電ランプにおいて、封止部は、気密に封着され、前記電極と接続された金属箔を具備し、内管の封止部の外表面に形成された導電性の被膜であって、少なくとも前記金属箔に対向する面に沿って延在し、複数の幾何学形状を組み合わせてなる形態の導電性被膜を有していることを特徴とする。
【０００７】
また、本発明に従って、内管と外管の二重管の構造をもつ放電ランプの製造方法であって、内管の外表面に導電性材料を滴下することによって、少なくとも内管の封止部に封入された金属箔に対向する位置に導電性被膜を形成することを特徴とする製造方法が提供される。
【発明の効果】
【０００８】
本発明によれば、比較的低温な封止部に導電性被膜を形成することで、温度上昇に伴う被膜成分の消失を防ぎ、かつ十分な始動補助を長期にわたって行うことができる新規な放電ランプを提供することができる。
【０００９】
また、本発明に係る放電ランプの製造方法によれば、比較的簡易な方法で所期の効果を奏する新規の放電ランプを製造することができる。
【図面の簡単な説明】
【００１０】
【図１】本発明の一実施形態に係る放電ランプの側面図である。
【図２】（ａ）は図１の放電ランプの高電位側の封止部近傍を拡大した部分拡大図であり、（ｂ）は（ａ）のランプの直線２Ｂ−２Ｂ'に沿った側断面図である。
【図３】図１の図面を９０度回転した方向（ランプを下側）からみた図である。
【図４】図３の放電ランプの高電位側の封止部近傍を拡大した部分拡大図である。
【図５】別形態の放電ランプを説明するための部分拡大図である。
【図６】導電性被膜の面積と始動電圧との関係を示す図である。
【図７】導電性被膜の形成パターンの例を示す図である。
【発明を実施するための形態】
【００１１】
図１、図２、図３および図４を参照して、本発明の実施形態の１つについて説明する。本形態の放電ランプは、自動車の前照灯に用いられる、いわゆるＤ４タイプと呼ばれる一種であり、細長い形状の内管１を有している。内管１の中央付近には略楕円形の発光部１１が形成されている。発光部１１の両端には、ピンチシールにより形成された細長い板状の封止部１２、さらにその両端には境界部１３を介して円筒部１４がそれぞれ一体形成されている。内管１は、例えば石英ガラスなどの耐熱性と透光性を具備した材料で構成することができる。
【００１２】
発光部１１の内部には、中央が略円柱状で、両端に向かってテーパ状となっている閉空間１１１（以下、便宜上「第１の空間」ともいう。）が形成されている。この第１の空間１１１の容積は、自動車前照灯用の場合には、１０〜４０ｍｍ３、さらには２０〜３０ｍｍ３であるのが一般的である。
【００１３】
第１の空間１１１には、放電媒体が封入されている。放電媒体は、少なくとも金属ハロゲン化物２および不活性ガスを含有したものである。
【００１４】
金属ハロゲン化物２は、ナトリウム、スカンジウム、亜鉛、インジウムなどのハロゲン化物で構成されている。それらの金属ハロゲン化物に結合されるハロゲンとしてはヨウ素が用いられるが、これに限らず臭素や塩素などを組み合わせてもよい。また、金属ハロゲン化物の組合せもこれに限らず、スズやセシウムのハロゲン化物などを任意に追加してもよい。
【００１５】
第１の空間１１１に封入される不活性ガスは、例えばキセノンである。この封入ガスは、目的に応じてその封入圧力を調整することができる。例えば、全光束等の特性を高めるためには、封入圧力を常温（２５℃）において１２ａｔｍ以上にするのが望ましい。ただし、製造上の理由から大きくても２０ａｔｍ程度までとするのが一般的である。また、キセノンの他に、ネオン、アルゴン、クリプトンなどを使用したり、それらを組み合わせて使用したりすることもできる。
【００１６】
ここで、放電媒体は、水銀を実質的に含んでいない。本明細書における「水銀を実質的に含まない」とは、水銀の封入量が０ｍｇである場合のみではなく、従来の水銀入りの放電ランプと比較してほとんど封入されていないに等しい程度の量、例えば１ｍｌあたり２ｍｇ未満、好ましくは１ｍｇ以下の水銀量を封入している場合を含む意味に解釈すべきである。
【００１７】
封止部１２には、電極マウント３が封着されている。電極マウント３は、金属箔３１、電極３２、コイル３３およびリード線３４により構成されている。
【００１８】
金属箔３１は、例えば、モリブデンからなる薄い板材である。
【００１９】
電極３２は、例えば、タングステンに酸化トリウムをドープした、いわゆるトリエーテッドタングステンから構成された棒状の部材である。その一端は金属箔３１の発光部１１側の端部に載置される形態で接続されており、他端は第１の空間１１１内に突出しており、所定の電極間距離を保って互いの先端同士が対向するように配置されている。電極間距離は、例えば自動車前照灯用の場合には、外管５を通して観察したときに先端間の距離が４．０〜４．４ｍｍであるのが望ましい。なお、電極３２の形状は、直棒状に限らず、先端の直径が大きい非直棒状の形状や直流点灯タイプのように一対の電極の大きさが異なる形状であってもよい。また、電極材料は、純タングステンやドープタングステン、レニウムタングステンなどであってもよい。
【００２０】
コイル３３は、例えば、ドープタングステンからなる金属線であって、封止部１２に封着される電極３２の軸部の軸周りに螺旋状に巻装されている。コイル３３は、例えばコイル線径は３０〜１００μｍ、コイルピッチは６００％以下となるように設計される。
【００２１】
リード線３４は、例えば、モリブデンからなる金属線である。リード線３４の一端は、発光部１１に対して反対側の金属箔３１に載置される形態で接続されており、他端は管軸に沿って内管１の外部に延出されている。そのうち、ソケット６から遠位側に延出したリード線３４には、例えば、ニッケルからなるＬ字状のサポートワイヤ３５の一端がレーザー溶接により接続されている。このサポートワイヤ３５には、内管１と平行に延在する部位に、例えば、セラミックからなるスリーブ４が装着されている。なお、図３ではサポートワイヤ３５の図示を省略してある。
【００２２】
ここで、封止部１２と金属マウント３について、図２および図４を参照してさらに詳しく説明する。図４は、図２をランプの軸方向に９０度回転させた方向から見た図面である。
【００２３】
後で述べるように点灯中に高電位側となる封止部１２の表面には導電性被膜１０が形成されている。より具体的には、本形態の導電性被膜１０は、図４に示すように、金属箔３１と略平行に延在する封止部１２の表面に形成された４つの円状のドットからなり、これらの円状のドットが外接して部分的に重なるように構成されている。このように複数の幾何学的形状を組み合わせて導電性被膜１０を形成することで、限られたスペースの中で導電性被膜１０の全周長を十分に大きくすることができ、後述するように始動特性を改善することができる。当然ながら、同じ幾何学形状を複数個組み合わせたもののみならず、異なる幾何学形状を複数種組み合わせてもよく、例えば、円形と四角系を組合せた導電性被膜を採用できる。
【００２４】
導電性被膜１０は、導電性を有し、酸素などと反応しにくい材料で構成することが好ましく、例えば金および、酸化スズ、酸化亜鉛、酸化インジウムスズ（ＩＴＯ）などの各種金属酸化物、およびこれらの金属酸化物にフッ素、ガリウムまたはアンチモンをドープしたものを用いることができる。また、被膜部分の抵抗が約１０６Ω／ｃｍ以下となるように材料を選定するのが好ましい。かかる部位の抵抗値は、形成された被膜の厚さにも依存し、材料の選定のみによって決定されるわけではないが、バリア放電を起こしやすくするために上記抵抗値の範囲に制御するというのは有効な指標である。要するに、本発明の思想に基づいて使用する材料およびその組合せは少なくとも本明細書に示唆された各要素に応じて適宜決定することができる。
【００２５】
また、従来技術では発光部およびその近傍に導電性被膜１０を形成していたため、被膜１０を構成する材料として透明な材料を選定しないと全光束など発光特性に悪影響を与える恐れがあったが、本形態に係る放電ランプでは安定時において発光しない金属箔３１の周囲のみに導電性被膜１０を形成するので透明な材料である必要はない。また、発光部１１から十分に離れた距離に導電性被膜１０を形成しているため、熱などによる劣化の影響も少ない。つまり、始動特性を改善することができる条件に基づいて材料の選択を比較的自由に行うことができる点でも優れている。
【００２６】
導電性被膜１０の形成方法は、本発明との関係でとくに限定されるべきものではないが、例えば液状の材料を内管の封止部１２に滴下する行程を、位置を変えて複数回繰り返し行うことで、図４に示したような複数のドットパターンとして形成することができる。この方法によれば、公知のディスペンサを使って被膜材料を滴下することで、その材料自身の粘度や滴下高さを適宜調整することで所望の膜厚や面積の導電性被膜を形成することができる。このように、材料自体の拡散を利用するほかにもマスキングをしてエッチングや蒸着などの科学的手法により所望の形状とする方法を採用することができることはいうまでもない。
【００２７】
内管１の外側には、発光部１１を覆うように筒状の外管５が設けられている。外管５は、内管１と略同心に形成されるが、厳密には図２からわかるように、内管１が外管５に対してわずかに下側に偏心するように構成されている。外管５と内管１との接続は、内管１の円筒部１４付近に外管５の両端を溶着することにより行なわれており、内管１と外管５との間に形成された空間５１（以下、便宜上「第２の空間」ともいう。）には、所定の条件下で誘電体バリア放電可能なガス、例えばネオン、アルゴン、キセノンおよび窒素からなる群から選択された少なくとも一種のガスまたは混合ガスを使用することができる。ガス圧は例えば０．３ａｔｍ以下、特に０．１ａｔｍ以下である。外管５を構成する材料には、例えば、石英ガラスにチタン、セリウム、アルミニウム等の酸化物を添加した、紫外線遮断性を有する材料を用いることができる。
【００２８】
外管５が接続された内管１の一端には、ソケット６が接続されている。より具体的には、外管５の外周面に金属バンド７１を装着し、その金属バンド７１をソケット６から突出形成させた金属製の舌片７２で把持することで行なっている。また、ソケット６の底部には底部端子８１、側部には側部端子８２が形成されており、底部端子８１と側部端子８２には、リード線３４とサポートワイヤ３５とがそれぞれ接続されている。
【００２９】
これらで構成された放電ランプは、底部端子８１が高電位側、側部端子８２が低電位側になるように点灯回路（図示なし）が接続され、自動車前照灯として使用する場合は、ランプの管軸が略水平の状態で、かつサポートワイヤ３５が下方に位置するように取り付けられて点灯される。その点灯回路の出力は、例えば、安定時は約３５Ｗ、始動時は安定時電力に対して２倍以上である約７５Ｗに設定される。
【００３０】
次に、本発明の放電ランプの作用について説明する。
【００３１】
ランプに高電圧が印加されると、封止部１２に形成された導電性被膜１０から第２の空間５１に多数の電子が放出され帯電される。このとき、導電性被膜１０および第２の空間内５１に電位差が生じ、低電圧で放電が生じる。この放電に起因して内管１の内外面でも分極および光電効果が起こり、電極３２どうしの絶縁破壊を導くようになっている。
【００３２】
以上が始動に必要な電圧を低減するための作用であるが、単に第２の空間での放電を利用して電極間の絶縁破壊を促すという意味では、特許文献１のように発光部に導電性被膜を塗布した従来技術であっても相応の効果を奏することができる。しかしながら、本発明者らは、発光部の周囲に導電性被膜を形成する従来の手法では始動特性が製品寿命中に悪化していくことを発見した。これは、発光部周囲は点灯時に非常に高温になる部位であり、そのすぐ外側に形成された導電性被膜が気化して、放電補助の機能が損なわれることのほかに、導電性被膜の成分が不純物として第２の空間の雰囲気を変えてしまい、放電を起こりにくくするためと考えられる。
【００３３】
したがって、図示した形態のように、発光部１１やその近傍（たとえば封止部との境界のネック部）に導電性被膜１０を形成しないようにその範囲を制限することが望ましい。
【００３４】
より具体的には、例えば金属箔３１の中央付近は発光部１１に比べて低温であるため、この部位を基準として導電性被膜１０を形成することで上述した問題を防ぐことができる。さらにスペースが許す限り、発光部１１からより離れた位置に導電性被膜を形成してもよいことはいうまでもない。
【００３５】
次に、本発明の放電ランプの一実施例の仕様を以下に示す。
【００３６】
内管１：石英ガラス製、第１の空間１１１の内容積＝２７ｍｍ３、最大内径＝２．５ｍｍ、最大外径＝６．２ｍｍ、長手方向の球体長＝７．８ｍｍ、
封止部１２：肉厚Ｔ＝２．４ｍｍ、幅Ｗ＝４．１ｍｍ、
金属ハロゲン化物２：ＳｃＩ３、ＮａＩ、ＺｎＩ２、ＩｎＢｒ、合計封入量０．４ｍｇ、
第１のガス：キセノン、ガス圧＝１３ａｔｍ、
水銀：０ｍｇ、
金属箔３１：モリブデン製、厚み＝２０μｍ、幅＝１．５ｍｍ、金属箔３１とネック部との距離Ｌ＝４．５ｍｍ、
電極３２：トリエーテッドタングステン製、直径Ｒ＝０．３８ｍｍ、外管を通して視認可能な見た目上の電極間距離＝４．３２ｍｍ、
コイル３３：ドープタングステン製、線径＝６０μｍ、ピッチ＝２５０％、
リード線３４：モリブデン製、直径＝０．４ｍｍ、
導電性被膜１０：酸化スズ、膜厚＝１００ｎｍ、面積＝１０ｍｍ２、周の長さ＝１４ｍｍ、
外管５：内径＝７．０ｍｍ、肉厚＝１．０ｍｍ、
第２のガス：窒素、ガス圧＝０．１ａｔｍ。
【００３７】
図５は、本発明の別形態の放電ランプを示す図である。図２（ａ）に示した形態と異なるのは、導電性被膜１０が金属箔３１と対向する一方の面のみではなく、電極３２と接続された側にも存在し、２つの導電性被膜１０が封止部１２を挟むように形成されている点である。一方の導電性被膜１０を形成した後に、続けて反対側にも同様に形成できるので、単純な工程の追加でランプ始動時に起点となり得る箇所を増やすことができる。
【００３８】
ここで図示した形態は、かかる形態の最も単純な構造、すなわち一対の導電性被膜１０が互いに対向する位置にしたものであるが、かかる位置関係に限定されず、例えば導電性被膜１０の金属箔３１の長手方向に位置をずらして形成してもよいし、一方の導電性被膜１０を他方のそれと異なる形状にしてもよい。
【００３９】
図６は、封止部に形成する導電性被膜の面積を変えて始動電圧低下率との関係を調べた実測値をプロットしたグラフである。これから明らかなように、導電性被膜を形成していない場合（＝０ｍｍ２）の場合と比較して、３ｍｍ２以上の面積の導電性被膜を形成することによって、２０％以上の電圧低減を達成することができた。
【００４０】
また、条件を変えて繰り返し試験を行ったところ、導電性被膜の形状は、その面積だけでなく他の要素も始動電圧低減の効果に影響を与えることがわかった。例えば、同じ面積の被膜であっても、真円と、外縁が不規則に形成された星形の被膜とを比較すると、後者の方がより容易にランプを始動させることができることが確かめられた。これは、被膜の外周縁部付近で電界集中が起こり放電補助の起点となるためで、外周を長くすることで起点となり得る箇所が増えるためと考えられる。したがって、必要最低限の量の導電性被膜で十分な放電補助を達成するには、単純な矩形や真円よりもむしろ複数の幾何学形状を組み合わせたような複雑な形状であることが望ましいといえる。
【００４１】
このような知見に基づいて、本発明は、封止部に形成する導電性被膜の形態として実に様々な変形例を包含し得るといえる。図７に示したのは、そのいくつかの例である。
【００４２】
例えば図７（ａ）に示した形態の導電性被膜１０１は、２つの円状のドットを部分的に重なり合う形態で形成されている。ここで、本明細書でいう「ドット」は、図示したような円形のものに限らず、例えば楕円、長方形を含む四角形および六角形を含む多角形、星形や略星形などの不規則形状を包含した概念として解釈すべきである。つまり、「ドット」の通常の意味から理解されるように、封止部１２の幅などと比べて十分に小さく、例えば封止部１２全体を覆って発光部１１との境界のネック部までの全体に延在するような被膜は、本明細書でいう「ドット」の概念から排除されると考えることができる。
【００４３】
図７（ｂ）は、導電性被膜１０２として、円状のドットを２つ、それぞれが金属箔３１と対向する位置に形成したものである。この場合、所定の始動電圧を印加したときに、２つの被膜のいずれかが起点となって絶縁破壊を補助することになる。
【００４４】
図７（ｃ）の導電性被膜１０３は、円状の被膜を４つ、中心をずらして組み合わせた形態である。
【００４５】
図７（ｄ）の導電性被膜１０４は、２つの長方形をずらして部分的に側辺を重ねて形成されたものである。
【００４６】
図７（ｅ）の導電性被膜１０５は、略矩形の被膜を２つ並べて形成したものである。
【００４７】
図７（ｆ）の導電性被膜１０６は、図６（ａ）の導電性被膜１０１と同様の形状の導電性被膜１０６を封止部１２の反対側に形成したものである。この形態では、電極３２と金属箔の接続部が金属箔３１の裏側に隠れるため図のような形態となる。
【００４８】
図７（ｇ）の導電性被膜１０７は、細長い短冊状を金属箔３１の幅方向に沿って３つ平行になるように形成したものである。このような幅が小さい導電性被膜１０７の場合、電界の集中が発生し、低い電圧での始動が可能となる。なお、幅は小さいほど電界が集中しやすく、例えば、幅が２ｍｍ以下であると、単なる長方形の導電性被膜の場合と比較して、約１．５ｋＶも始動電圧を改善することができる。
【００４９】
図７（ｈ）の導電性被膜１０８は、端部に複数の鋭角の三角形を組み合わせたような形状にすることで、端辺をギザギザな鋸歯状にしたものである。このような形状とすることで、長方形状の同じ面積の導電性被膜よりも、周の長さを格段に長くすることができる。また、端部の鋭利な箇所に電界が集中して、低い電圧で始動が可能となる。
【００５０】
なお、以上説明した種々の形態において、導電性被膜は、電極と金属箔の接合面と対向するように配置したものを例に説明したが、かかる形態に限定されるものではない。つまり、一般に金属箔と導電性被膜の距離が小さい方が始動補助の効果が比較的高いと考えられるが、図７（ｆ）〜（ｈ）に示した形態のように、封止部の反対側の面に形成しても始動補助の効果が得られる。よって、本発明において、導電性被膜は金属箔との関係で封止部のどの側面に形成されるかは限定されない。
【００５１】
また、本発明は、放電媒体として水銀を実質的に含まない水銀フリーの放電ランプに適用可能な発明として説明したが、水銀入りの放電ランプに同様に本発明を利用することを何ら妨げるものではない。つまり、水銀フリーのランプでは放電空間内の圧力が高く、電極間距離も大きいため、より高い始動電圧が必要となることが一般的であり、始動電圧を低減することが可能な本発明の有用性が高いといえる。しかし、始動特性を改善するなど同様の目的で水銀入りの放電ランプに適用することに何ら問題はない。
【産業上の利用可能性】
【００５２】
本発明は、例えば始動特性を改善した自動車前照灯として利用できるほか、フォグランプや屋外灯など種々の用途の照明装置として利用することができる。
【符号の説明】
【００５３】
１  内管
２  金属ハロゲン化物
３  電極マウント
３１  金属箔
３２  電極
５  外管
１０  導電性被膜
【図１】
2010232159.tif 000003
【図２】
2010232159.tif 000004
【図３】
2010232159.tif 000005
【図４】
2010232159.tif 000006
【図５】
2010232159.tif 000007
【図６】
2010232159.tif 000008
【図７】
2010232159.tif 000009